(57)【特許請求の範囲】
【請求項１】
家具本体の底部にキャスタを設けたキャスタ付家具であって、
前記キャスタが、前記家具本体に取り付けられた支持体にターンベースが水平旋回可能に保持されこのターンベースの偏心位置にローラーが枢支されているキャスタ本体と、このキャスタ本体の動きをロックするためのロック位置からそのロックを解除するための非ロック位置までの間で作動する作動子を有したロック部と、このロック部の作動子を作動させて前記ロック部をロック状態又は非ロック状態に切り替えるための操作部とを備えてなり、
前記操作部が、略水平な一方向の押圧操作力を受け付けその押圧操作力を利用して前記作動子を作動させるプッシュボタンと、このプッシュボタンに一方向の押圧操作力が加えられる毎に前記作動子を前記ロック位置又は前記非ロック位置に交互に保持する選択保持機構とを備えたものであるキャスタ付家具。
【請求項２】
前記家具本体が、前後方向に延びた脚ベースを備えたものであり、
前記キャスタが、前記脚ベースの使用端側に設けられたものであり、
前記プッシュボタンが、前記脚ベースの使用端近傍に配されたものである請求項１記載のキャスタ付家具。
【請求項３】
前記脚ベースが、使用端に窓を有する下方に開放されたチャンネル状のものであり、
前記プッシュボタンが、前記窓に突没可能に配されたものである請求項２記載のキャスタ付家具。
【請求項４】
前記キャスタ本体が、天壁の下面に円筒体状をなす周壁が垂設された支持体と、この支持体内に水平旋回可能に収容されたターンベースと、このターンベースの旋回軸心から偏位した部位に水平軸を介して軸支されたローラーとを備えたものであり、
前記ロック部が、前記支持体に保持され前記プッシュボタンに対する操作に応じて前記ロック位置と前記非ロック位置との間で進退動作を行う作動子と、前記ターンベース内に昇降可能に保持されたロック体と、前記作動子の進退動作を前記ロック体の昇降動作に変換するカム機構とを備えてなり、前記作動子がロック位置と非ロック位置との間で進退するのに伴って、前記ロック体が前記ローラーの回転及び前記ターンベースのターン動作を禁止する係合位置と前記ローラーの回転及び前記ターンベースのターン動作を許容する非係合位置との間で作動し得るように設定されている請求項１、２又は３記載のキャスタ付家具。
【請求項５】
前記カム機構が、前記作動子の下面に設けられたカム溝と、前記ロック体に設けられ先端部が前記ターンベース及び支持体の前記天壁を貫通して前記カム溝に係わり合うカムフォロアとを備えたものである請求項４記載のキャスタ付家具。
【請求項６】
前記ロック体が、上面に前記カムフォロアを有した基部と、この基部に設けられ前記係合位置において前記ローラーに設けられた係合凹部に係合するロールロック爪と、前記基部に設けられ前記係合位置において前記支持体に設けられた係合凹部に係合するターンロック爪とを備えたものである請求項４又は５記載のキャスタ付家具。
【請求項７】
前記作動子が前記支持体に保持されて水平方向に進退するものであり、
前記プッシュボタンが、前記作動子の外方端に設けられたものであり、
前記選択保持機構が、前記作動子と前記支持体との間に設けられたハートカム機構である請求項１、２、３、４、５又は６記載のキャスタ付家具。
【請求項８】
前記家具本体が、前後方向に延びた脚ベースを備えたものであって、
前記作動子が前記支持体に保持されて水平方向に進退するものであり、
前記脚ベースの使用端側に前記操作部を備えた前記キャスタが設けられているとともに前記脚ベースの反使用端側に前記脚ベースに取り付けられた支持体にターンベースが水平旋回可能に保持されこのターンベースの偏心位置にローラーが枢支されているキャスタ本体と、このキャスタ本体の動きをロックするためのロック位置からそのロックを解除するための非ロック位置までの間で水平方向に作動する作動子を有したロック部を具備してなる反使用端側のキャスタが設けられており、この反使用端側のキャスタの前記作動子と前記使用端側のキャスタの作動子とを連結杆を介して連動可能に連結している請求項１、２、３、４、５、６又は７記載のキャスタ付家具。
【請求項９】
前記使用端側のキャスタの作動子と、前記反使用端側のキャスタの作動子とが、一本の連結杆により直結されたものである請求項８記載のキャスタ付家具。
【請求項１０】
家具に取り付けて使用されるキャスタであって、
支持体にターンベースが水平旋回可能に保持されこのターンベースの偏心位置にローラーが枢支されているキャスタ本体と、このキャスタ本体の動きをロックするためのロック位置からそのロックを解除するための非ロック位置までの間で作動する作動子を有したロック部と、このロック部の作動子を作動させて前記ロック部をロック状態又は非ロック状態に切り替えるための操作部とを備えてなり、
前記操作部が、略水平な一方向の押圧操作力を受け付けその押圧操作力を利用して前記作動子を作動させるプッシュボタンと、このプッシュボタンに一方向の押圧操作力が加えられる毎に前記作動子を前記ロック位置又は前記非ロック位置に交互に保持する選択保持機構とを備えたものであるキャスタ。
【発明の詳細な説明】
【技術分野】
【０００１】
本発明は、オフィス等で好適に使用されるキャスタ付家具、及びキャスタに関する。
【背景技術】
【０００２】
従来から、テーブル等の家具として、その底部にローラーを有したキャスタを備えているものが種々知られている（例えば、特許文献１を参照）。
【０００３】
ところで、キャスタには、前記ローラーの回転動作及び旋回動作を禁止するためのロック部を有しているものがある。そして、従来におけるロック部を作動するための操作は、概して、ロック部に関連させて設けられた操作体を上下方向に移動させることにより行われていた。
【０００４】
ところが、このような構成のものであると、例えば、使用者が直接的に視認し得る足先部分を使って操作体を操作するような場合には、当該上下方向に移動する操作体に対して的確に足先部分をアクセスさせ難いものとなり、使用者が快適に操作体を操作することができない場合があった。
【先行技術文献】
【特許文献】
【０００５】
【特許文献１】特開２００９−２３３０７８号公報
【発明の概要】
【発明が解決しようとする課題】
【０００６】
本発明は、以上のような事情に着目してなされたもので、操作性に優れたキャスタ、及び、当該キャスタを有したキャスタ付家具を提供することにある。
【課題を解決するための手段】
【０００７】
すなわち、本発明は次の構成をなしている。
【０００８】
請求項１に記載の発明は、家具本体の底部にキャスタを設けたキャスタ付家具であって、前記キャスタが、前記家具本体に取り付けられた支持体にターンベースが水平旋回可能に保持されこのターンベースの偏心位置にローラーが枢支されているキャスタ本体と、このキャスタ本体の動きをロックするためのロック位置からそのロックを解除するための非ロック位置までの間で作動する作動子を有したロック部と、このロック部の作動子を作動させて前記ロック部をロック状態又は非ロック状態に切り替えるための操作部とを備えてなり、前記操作部が、略水平な一方向の押圧操作力を受け付けその押圧操作力を利用して前記作動子を作動させるプッシュボタンと、このプッシュボタンに一方向の押圧操作力が加えられる毎に前記作動子を前記ロック位置又は前記非ロック位置に交互に保持する選択保持機構とを備えたものであるキャスタ付家具である。
【０００９】
請求項２に記載の発明は、前記家具本体が、前後方向に延びた脚ベースを備えたものであり、前記キャスタが、前記脚ベースの使用端側に設けられたものであり、前記プッシュボタンが、前記脚ベースの使用端近傍に配されたものである請求項１記載のキャスタ付家具である。
【００１０】
請求項３に記載の発明は、前記脚ベースが、使用端に窓を有する下方に開放されたチャンネル状のものであり、前記プッシュボタンが、前記窓に突没可能に配されたものである請求項２記載のキャスタ付家具である。
【００１１】
請求項４に記載の発明は、前記キャスタ本体が、天壁の下面に円筒体状をなす周壁が垂設された支持体と、この支持体内に水平旋回可能に収容されたターンベースと、このターンベースの旋回軸心から偏位した部位に水平軸を介して軸支されたローラーとを備えたものであり、前記ロック部が、前記支持体に保持され前記プッシュボタンに対する操作に応じて前記ロック位置と前記非ロック位置との間で進退動作を行う作動子と、前記ターンベース内に昇降可能に保持されたロック体と、前記作動子の進退動作を前記ロック体の昇降動作に変換するカム機構とを備えてなり、前記作動子がロック位置と非ロック位置との間で進退するのに伴って、前記ロック体が前記ローラーの回転及び前記ターンベースのターン動作を禁止する係合位置と前記ローラーの回転及び前記ターンベースのターン動作を許容する非係合位置との間で作動し得るように設定されている請求項１、２又は３記載のキャスタ付家具である。
【００１２】
請求項５に記載の発明は、前記カム機構が、前記作動子の下面に設けられたカム溝と、前記ロック体に設けられ先端部が前記ターンベース及び支持体の前記天壁を貫通して前記カム溝に係わり合うカムフォロアとを備えたものである請求項４記載のキャスタ付家具である。
【００１３】
請求項６に記載の発明は、前記ロック体が、上面に前記カムフォロアを有した基部と、この基部に設けられ前記係合位置において前記ローラーに設けられた係合凹部に係合するロールロック爪と、前記基部に設けられ前記係合位置において前記支持体に設けられた係合凹部に係合するターンロック爪とを備えたものである請求項４又は５記載のキャスタ付家具である。
【００１４】
請求項７に記載の発明は、前記作動子が前記支持体に保持されて水平方向に進退するものであり、前記プッシュボタンが、前記作動子の外方端に設けられたものであり、前記選択保持機構が、前記作動子と前記支持体との間に設けられたハートカム機構である請求項１、２、３、４、５又は６記載のキャスタ付家具である。
【００１５】
請求項８に記載の発明は、前記家具本体が、前後方向に延びた脚ベースを備えたものであって、前記作動子が前記支持体に保持されて水平方向に進退するものであり、前記脚ベースの使用端側に前記操作部を備えた前記キャスタが設けられているとともに前記脚ベースの反使用端側に前記脚ベースに取り付けられた支持体にターンベースが水平旋回可能に保持されこのターンベースの偏心位置にローラーが枢支されているキャスタ本体と、このキャスタ本体の動きをロックするためのロック位置からそのロックを解除するための非ロック位置までの間で水平方向に作動する作動子を有したロック部を具備してなる反使用端側のキャスタが設けられており、この反使用端側のキャスタの前記作動子と前記使用端側のキャスタの作動子とを連結杆を介して連動可能に連結している請求項１、２、３、４、５、６又は７記載のキャスタ付家具である。
【００１６】
請求項９に記載の発明は、前記使用端側のキャスタの作動子と、前記反使用端側のキャスタの作動子とが、一本の連結杆により直結されたものである請求項８記載のキャスタ付家具である。
【００１７】
請求項１０に記載の発明は、家具に取り付けて使用されるキャスタであって、支持体にターンベースが水平旋回可能に保持されこのターンベースの偏心位置にローラーが枢支されているキャスタ本体と、このキャスタ本体の動きをロックするためのロック位置からそのロックを解除するための非ロック位置までの間で作動する作動子を有したロック部と、このロック部の作動子を作動させて前記ロック部をロック状態又は非ロック状態に切り替えるための操作部とを備えてなり、前記操作部が、略水平な一方向の押圧操作力を受け付けその押圧操作力を利用して前記作動子を作動させるプッシュボタンと、このプッシュボタンに一方向の押圧操作力が加えられる毎に前記作動子を前記ロック位置又は前記非ロック位置に交互に保持する選択保持機構とを備えたものであるキャスタである。
【発明の効果】
【００１８】
以上説明したように本発明によれば、操作性に優れたキャスタ、及び、当該キャスタを有したキャスタ付家具を提供することができるものとなる。
【図面の簡単な説明】
【００１９】
【図１】本発明の一実施形態を示す斜視図。
【図２】同実施形態における斜視図。
【図３】同実施形態における断面図。
【図４】同実施形態における部分拡大断面図。
【図５】同実施形態における分解斜視図。
【図６】同実施形態における分解斜視図。
【図７】同実施形態におけるハートカム機構を説明するための底面図。
【図８】同実施形態におけるハートカム機構を説明するための斜視図。
【図９】同実施形態における作動説明用の概略断面図。
【図１０】同実施形態における作動説明用の概略断面図。
【図１１】同実施形態における作動説明用の概略断面図。
【発明を実施するための形態】
【００２０】
以下、本発明の一実施形態を、図１〜１１を参照して説明する。
【００２１】
この実施形態は、本発明を、キャスタ付家具であるフラップ天板付テーブルＡに適用したものである。
【００２２】
フラップ天板付テーブルＡは、フラップ動作可能な天板Ｃの左右両端部を脚体Ｄにより支持してなる家具本体たるテーブル本体Ｂと、このテーブル本体Ｂの底部に設けられた使用端側のキャスタたる第一のキャスタＥと、前記テーブル本体Ｂの底部に設けられた反使用端側のキャスタたる第二のキャスタＦとを備えてなる。
【００２３】
テーブル本体Ｂは、天板Ｃの両端部を左右の脚体Ｄによりフラップ動作可能に支持したものであり、前記各脚体Ｄは前後に延びる脚ベースｄ１の中央に脚支柱ｄ２を立設したものである。そして、前記テーブル本体Ｂの底部である前記脚ベースｄ１の使用端側に第一のキャスタＥを設けるとともに反使用端側に第二のキャスタＦを設けている。
【００２４】
脚ベースｄ１は、下方に開放されたチャンネル状のものであり、その使用端に前側に向かって開口した窓ｄ１１を有している。この脚ベースｄ１は、使用端部における両側壁ｄ１２の内面に第一のキャスタＥ取付用の凹陥部ｄ１３を備えているとともに反使用端部における両側壁ｄ１２の内面に第二のキャスタＦ取付用の凹陥部ｄ１４を備えている。
【００２５】
第一のキャスタＥは、前記脚ベースｄ１の使用端側に設けられたもので、キャスタとして機能するローラー３を有した基本構造を備えたキャスタ本体Ｇと、このキャスタ本体Ｇの動きをロックするためのロック位置（Ｉ）からそのロックを解除するための非ロック位置（Ｊ）までの間で作動する作動子５を有したロック部Ｈと、このロック部Ｈの作動子５を作動させて前記ロック部Ｈをロック状態又は非ロック状態に切り替えるための操作部Ｍとを具備してなる。
【００２６】
キャスタ本体Ｇは、前記脚ベースｄ１に取り付けられた支持体１と、この支持体１に水平旋回可能に保持されたターンベース２と、このターンベース２の偏心位置に枢支された前記ローラー３とを備えたものである。換言すれば、キャスタ本体Ｇは、天壁１１の下面に円筒体状をなす周壁１２が垂設された支持体１と、この支持体１内に水平旋回可能に収容されたターンベース２と、このターンベース２の旋回軸心から偏位した部位に水平軸ｊ１を介して軸支されたローラー３とを備えたものである。
【００２７】
支持体１は、中心にボス部１４を有した円盤状の天壁１１と、この天壁１１の周縁部から下方に垂下させた周壁１２とを備えた逆カップ状のものであり、前記天壁１１の上面には前後方向に延びる一対のレール壁１５が設けられている。天壁１１の下面には、前記ボス部１４を囲繞する環状領域１６が設定されており、この環状領域１６に複数の係合凹部ｈ１が円周方向に隣接させて形成されている。前記周壁１２には、その外面側に支持体１を前記脚ベースｄ１に取り付けるための左右対をなす弾性爪１７が一体に設けられている。すなわち、この支持体１の外径は、前記脚ベースｄ１における側壁ｄ１２内面間の内法寸法に略対応させてある。そして、この支持体１を前記脚ベースｄ１の側壁ｄ１２間に挿入すると、前記弾性爪１７が前記脚ベースｄ１の凹陥部ｄ１３に弾性係合するとともに前記レール壁１５の上端が前記脚ベースｄ１における天壁１１の下面に当接し、支持体１が前記脚ベースｄ１に安定した状態で取り付けられるようになっている。また、この支持体１の周壁１２外面には、上下に延びる膨出部１３が形成されておりこの膨出部１３に上方に開口された有底の軸保持穴１８が形成されている。
【００２８】
ターンベース２は、中心にボス部２３を有した円盤状の天壁２１と、この天壁２１の周縁部から下方に垂下させた周壁２２とを備えた逆カップ状のもので、前記ターンベース２におけるボス部２３の軸心を前記支持体１におけるボス部１４の軸心に一致させて前記支持体１内に水平旋回可能に設けられている。前記天壁２１における前記ボス部２３の周囲には、複数のロック爪貫通窓２４が形成されている。また、前記周壁２３の内側には、後述するロック体６を昇降可能に案内するための案内溝２５とローラー３に貫装された水平軸ｊ１を支持するための軸支持部２６が設けられている。なお、図５及び図６においては図示していないが、このターンベース２の天壁２１と前記支持体１の天壁１１との間には複数のボールを介設させてなるスラストベアリングが設けられている。このターンベース２における下端の開口部には、カバー４が蓋着されるようになっている。
【００２９】
ローラー３は、水平軸ｊ１を介して前記ターンベース２に軸支されたもので、前記水平軸ｊ１の両端は前記ターンベース２の軸支持部２６に支持されている。ローラー３は、前記水平軸ｊ１に外嵌されるハブ３１と、このハブ３１の外周囲に配設されたリム３２と、このリム３２の内周と前記ハブ３１の外周とを厚み方向中央部において接続するディスク３３とを備えたもので、前記ディスク３３の両側における前記リム３２に近接した部位には、ハブ３１側に向かって開放された複数の係合凹部３４が円周方向に隣接させて形成されている。
【００３０】
ロック部Ｈは、前記キャスタ本体Ｇの動きをロックするためのものであり、前記支持体１に保持されプッシュボタン８に対する操作に応じて前記ロック位置（Ｉ）と前記非ロック位置（Ｊ）との間で進退動作を行う作動子５と、前記ターンベース２内に昇降可能に保持されたロック体６と、前記作動子５の進退動作を前記ロック体６の昇降動作に変換するカム機構７とを備えてなり、前記作動子５がロック位置（Ｉ）と非ロック位置（Ｊ）との間で進退するのに伴って、前記ロック体６が前記ローラー３の回転及び前記ターンベース２のターン動作を禁止する係合位置（Ｋ）と前記ローラー３の回転及び前記ターンベース２のターン動作を許容する非係合位置（Ｌ）との間で作動し得るように設定されている。
【００３１】
作動子５は、前記支持体１の天壁１１に配されたレール壁１５に位置させて前記天壁１１の上面に水平方向に進退可能に配設された細長ブロック状のものであり、外方端部にプッシュボタン取付部５１を有するとともに内方端部に連結杆取付部５２を備えている。プッシュボタン取付部５１は、作動子５の外方端面から一体に突出した受け板５５と、この受け板５５に設けられたボルト挿通孔ｈ２とを備えている。連結杆取付部５２は、作動子５の内方端面から突設された角柱状の突起ｔ２と、この突起ｔ２に形成された雌ねじ孔ｈ３とを備えている。この作動子５の下面には、カム溝７１とカム板保持部５４とが形成されている。なお、作動子５をスライド可能に支持し得る前記レール壁１５の対向する内側面には前記作動子５が前記支持体１から離れるのを防止するための抜け止め突起ｔ１が形成されている。この作動子５は、支持体１との間に配された図示しない作動子５付勢用のスプリングにより外方に弾性付勢されている。
【００３２】
ロック体６は、上面にカムフォロア６６を有した基部６１と、この基部６１に設けられ前記係合位置（Ｋ）において前記ローラー３に設けられた係合凹部３４の何れかに係合するロールロック爪６３と、前記基部６１に設けられ前記係合位置（Ｋ）において前記支持体１に設けられた係合凹部ｈ１の何れかに係合する側部及び端部のターンロック爪６４、６５とを備えたものである。
【００３３】
基部６１は、板状のもので下面にスプリングリテーナ６７を有している。すなわち、この基部６１は、前記スプリングリテーナ６７に上端を係合させたコイルスプリング６２により上方に弾性付勢されている。すなわち、前記カバー４の上面には前記コイルスプリング６２の下端が係合するスプリングリテーナ４１が形成されており、このカバー４と前記ロック体６との間にコイルスプリング６２が介設されている。また、基部６１におけるローラー３側の端面には、前記ローラー３の両側にまで延出したアーム６８が形成されておりそのアーム６８の先端内側面に前記ロールロック爪６３が設けられている。
【００３４】
ロールロック爪６３は、前記ロック体６が非係合位置（Ｌ）に降下している状態では、前記ローラー３の係合凹部３４から外れる位置に待機しており、前記ロック体６が前記コイルスプリング６２の付勢力により係合位置（Ｋ）に上昇した状態では、前記ローラー３の係合凹部３４のいずれかに係合し得るようになっている。
【００３５】
側部のターンロック爪６４は、前記基部６１における両側部に設けられたものであり、前記ターンベース２の案内溝２５に摺接して上下方向に案内され得るようになっている。また、前記基部６１における反ローラー側の端部には、端部のターンロック爪６５が設けられている。前記側部及び端部のターンロック爪６４、６５は、前記ロック体６が非係合位置（Ｌ）に降下している状態では、前記支持体１の係合凹部ｈ１から外れた位置に待機しており、前記ロック体６が前記コイルスプリング６２の付勢力により係合位置（Ｋ）に上昇した状態では、ターンベース２におけるロック爪貫通窓２４から上方に突出して前記支持体１における天壁１１に形成された係合凹部ｈ１のいずれかに係合するようになっている。
【００３６】
カム機構７は、前記作動子５の下面に設けられた前記カム溝７１と、前記ロック体６に設けられ先端部が前記ターンベース２の天壁２１及び支持体１の天壁１１を貫通して前記カム溝７１に係わり合う柱状をなすカムフォロア６６とを備えたものである。
【００３７】
カム溝７１は、作動子５の進退方向に沿って延びてなるものであり、浅溝部７２と深溝部７３とが緩やかな段部７４を介して作動子５の進退方向に隣接させて設けられている。そして、作動子５がロック位置（Ｉ）にある状態では、前記カム溝７１の深溝部７３が前記支持体１におけるボス部１４の直上に位置するように設定されている。作動子５が非ロック位置（Ｊ）にある状態では、前記カム溝７１の浅溝部７２が前記支持体１におけるボス部１４の直上に位置するように設定されている。
【００３８】
カムフォロア６６は、基部６１から上方に向けて一体に突出した軸状のもので、前記ターンベース２のボス部２３及び前記支持体１のボス部１４を貫通してその先端部が前記カム溝７１に係わり合っている。図９に示すように、前記カムフォロア６６が、カム溝７１における深溝部７３に係合している状態では、前記ロック体６が係合位置（Ｋ）に保持されており、図１１に示すように、前記カムフォロア６６が、カム溝７１における浅溝部７２に係合している状態では、前記ロック体６が非係合位置（Ｌ）にコイルスプリング６２の付勢力に抗して押し下げられるようになっている。
【００３９】
操作部Ｍは、略水平な一方向の押圧操作力を受け付けその押圧操作力を利用して前記作動子５を作動させるプッシュボタン８と、このプッシュボタン８に一方向の押圧操作力が加えられる毎に前記作動子５を前記ロック位置（Ｉ）又は前記非ロック位置（Ｊ）に交互に保持する選択保持機構たるハートカム機構９とを備えたものである。
【００４０】
プッシュボタン８は、前記脚ベースｄ１の使用端近傍に配されたもので、具体的には、脚ベースｄ１に設けられた窓ｄ１１に突没可能に配されている。このプッシュボタン８は、前記作動子５の外方端に設けられている。すなわち、このプッシュボタン８は、ロック位置（Ｉ）において前記脚ベースｄ１の窓ｄ１１から過度に突出していない形態をなすものであり、その背面に前記作動子５におけるプッシュボタン取付部５１に取り付けられる取付突片８１を備えている。この取付突片８１には、前記プッシュボタン取付部５１のボルト挿通孔ｈ２に合致するボルト挿通孔ｈ３と、このボルト挿通孔ｈ３の上端部に軸心を一致させて埋設させたナットｎ１とを備えている。そして、前記作動子５のボルト挿通孔ｈ２から挿入したボルトｖ１を前記ナットｎ１に螺着して緊締することによりこのプッシュボタン８を前記作動子５に取り付けている。
【００４１】
ハートカム機構９は、前記作動子５と前記支持体１との間に設けられたもので、前記作動子５の進退方向と直交する方向にスライド可能に保持され下面にハートカム溝ｍｚを有したカム板９１と、前記支持体１の膨出部に装着されたフォロアピン９２と、このフォロアピン９２を上方に弾性付勢してこのフォロアピン９２の上端部を前記ハートカム溝ｍｚに常時係わり合わせるスプリング９３とを具備してなる。すなわち、このハートカム機構９は、操作に伴って作動することのない支持体１に保持されたフォロアピン９２を備えたものであり、ハートカム溝ｍｚを有したカム板９１が操作に伴って操作方向及びこの操作方向と直交する方向に作動することにより選択保持機能を発揮するようにしたものである。
【００４２】
詳述すれば、カム板９１は、平面視矩形状をなす平板状のもので内方端部が薄肉部となる切欠部９４が設けられている。また、カム板９１の内方端面及び外方端面には、左右方向に延びる摩擦軽減用の突条９５が形成されている。前記作動子５におけるカム板保持部５４は、前記作動子５の下面を底面視において矩形状をなすように凹陥させたものであり、当該凹陥部分を形成している対向する前後の内面間の距離は、前記カム板９１の前後方向寸法すなわちカム板９１における前後の突条９５の先端間の距離に略対応させてある。一方で、作動子５におけるカム板保持部５４の対向する左右の内面間の距離は前記カム板９１の左右方向寸法よりも大きく設定されており、前記カム板９１が、前後の突条５４を前記前後の内面に摺接させつつカム板保持部５４内において左右方向に一定の範囲でスライドし得るように設定されている。カム板保持部５４は、後の内面から内方に向かって延びてなり前記カム板９１の切欠部９４に係わり合って該カム板９１が落下するのを防止する落下防止鍔５６が設けられている。
【００４３】
ハートカム溝ｍｚは、底面視においてハート型をなす軌道を有したもので、軌道がくびれた箇所に設けられたロック部ｍ１と、このロック部ｍ１に第一段部ｓ１を介して連続し始端から終端に向かって漸次浅くなるリリース部ｍ２と、このリリース部ｍ２の終端に第二段部ｓ２を介して連続し始端から終端に向かって漸次浅くなるガイド部ｍ３と、このガイド部ｍ３の終端に第三段部ｓ３を介して連続し前記カム板９１の一定以上の内方への移動を前記フォロアピン９２により係止するための係止部ｍ４と、この係止部ｍ４と前記ロック部ｍ１との間に設けられた第四段部ｓ４とを備えたものである。フォロアピン９２は、図７に示すように、ハートカム溝ｍｚ内を矢印Ａ方向に沿って相対的に循環移動するようになっている。なお、前記第一、第二、第三、第四段部ｓ１、ｓ２、ｓ３、ｓ４は、各段を形成するための端面が進行方向を向くように設定されており、フォロアピン９２が矢印Ａ方向と逆方向に移動しないように案内されている。
【００４４】
フォロアピン９２は、前記支持体１の膨出部１３に形成された軸保持穴１８に昇降可能に嵌着された軸状のフォロアピン本体９６と、このフォロアピン本体９６の上端に突設され前記ハートカム溝ｍｚに常時係わり合う先端部９７と、前記フォロアピン９２下面に突設されたスプリングリテーナ９８とを備えたものである。そして、このフォロアピン９２と前記軸保持穴１８の底面との間にスプリング９３を介在させこのスプリング９３により前記フォロアピン９２を前記カム板９１方向に弾性付勢している。
【００４５】
次に、第二のキャスタＦについて説明する。なお、第二のキャスタＦの符号については、第一のキャスタＥにおいて使用した符号の後に「’」を付したものを使用することとし、詳細な説明を省略することがある。
【００４６】
第二のキャスタＦは、前記脚ベースｄ１の反使用端側に前記脚ベースｄ１に取り付けられた支持体１’にターンベース２’が水平旋回可能に保持されこのターンベース２’の偏心位置にローラー３’が枢支されているキャスタ本体Ｇ’と、このキャスタ本体Ｇ’の動きをロックするためのロック位置（Ｉ）からそのロックを解除するための非ロック位置（Ｊ）までの間で水平方向に作動する作動子５’を有したロック部Ｈ’を具備してなる。すなわち、第二のキャスタＦは、操作部Ｍを備えていない点、及びロック部Ｈ’の作動子５’の構造に関する点において第一のキャスタＥと異なっているが、第二のキャスタＦにおけるキャスタ本体Ｇ’と第一のキャスタＥにおけるキャスタ本体Ｇとは同一の構成をなしている。
【００４７】
ロック部Ｈ’は、前記キャスタ本体Ｇ’の動きをロックするためのものであり、前記支持体１’に保持され第一のキャスタＥのプッシュボタン８に対する操作に応じて前記ロック位置（Ｉ）と前記非ロック位置（Ｊ）との間で進退動作を行う作動子５’と、前記ターンベース２’内に昇降可能に保持されたロック体６’と、前記作動子５’の進退動作を前記ロック体６’の昇降動作に変換するカム機構７’とを備えてなり、前記作動子５’がロック位置（Ｉ）と非ロック位置（Ｊ）との間で進退するのに伴って、前記ロック体６’が前記ローラー３’の回転及び前記ターンベース２’のターン動作を禁止する係合位置（Ｋ）と前記ローラー３’の回転及び前記ターンベース２’のターン動作を許容する非係合位置（Ｌ）との間で作動し得るように設定されている。
【００４８】
作動子５’は、前記支持体１’の天壁１１’に配されたレール壁１５’に位置させて前記天壁１１’の上面に水平方向に進退可能に配設された細長ブロック状のものであり、内方端部に連結杆取付部５２’を備えている。連結杆取付部５２’は、作動子５’の内方端面から突設された角柱状の突起ｔ２’と、この突起ｔ２’に形成された雌ねじ孔ｈ３’とを備えている。この作動子５’の下面には、カム溝７１’が形成されている。このカム溝７１’は、後述するように第一のキャスタＥのカム溝７１と異なった構成をなしている。
【００４９】
ロック体６’は、第一のキャスタＥと同一の構成をなしている。
【００５０】
カム機構７’は、前記作動子５’の下面に設けられた前記カム溝７１’と、前記ロック体６’に設けられ先端部が前記ターンベース２’及び支持体１’の前記天壁１１’を貫通して前記カム溝７１’に係わり合うカムフォロア６６’とを備えたものであり、前記カム溝７１’のみが前記第一のキャスタＥのカム溝７１と異なっている。
【００５１】
すなわち、カム溝７１’は、作動子５’の進退方向に沿って延びてなるものであり、浅溝部７２’と深溝部７３’とが緩やかな段部７４’を介して作動子５’の進退方向に隣接させて設けられている。そして、作動子５’がロック位置（Ｉ）にある状態では、前記カム溝７１’の深溝部７３’が前記支持体１’におけるボス部１４’の直上に位置するように設定されている。作動子５’が非ロック位置（Ｌ）にある状態では、前記カム溝７１’の浅溝部７２’が前記支持体１’におけるボス部１４’の直上に位置するように設定されている。なお、第一のキャスタＥにおいては、前記浅溝部７２が内方端側に位置し前記深溝部７３が外方端側に位置しているのに対して、この第二のキャスタＦにおいては、前記浅溝部７２’が外方端側に位置し前記深溝部７３’が内方端側に位置している。そのため、第一のキャスタＥの作動子５と前記第二のキャスタＦの作動子５’とを連結杆Ｎにより直結しても両キャスタＥ、Ｆのロック体６、６’が同期して係合位置（Ｋ）と非係合位置（Ｌ）との間で作動するようになっている。
【００５２】
連結杆Ｎは、角パイプ素材を脚ベースｄ１の形状に対応させて曲げ成形したもので、一端を第一のキャスタＥの連結杆取付部５２の突起ｔ２に外嵌させるとともに、他端を第二のキャスタＦの連結杆取付部５２’の突起ｔ２’に外嵌させてビス止めされている。
【００５３】
次いで、第一のキャスタＥの作動について、図７〜図１１を参照して説明する。なお、図７は前記カム板９１の底面図でありカム溝７１内に描いた想像線はフォロアピン９２の先端部の軌道を示している。図８は前記カム板９１を底面側から見た斜視図である。図９〜図１１は（ａ）において、第一、第二のキャスタの側断面を要部のみを取り出して模式的に示しており、（ｂ）において、（ａ）に対応した平断面を模式的に示している。
【００５４】
図１〜４及び図９は、第一のキャスタＥにおけるロック部Ｈがロック状態に維持されているものを示している。このロック状態においては、図９（ａ）に示すようにロック部Ｈのロック体６が係合位置（Ｋ）に上昇しておりロールロック爪６３がローラー３の係合凹部３４の一つに係合している。そのため、ローラー３の回転が禁止されている。また、ロック体６のターンロック爪６４、６５がターンベース２のロック爪貫通窓２４を貫通して支持体１の係合凹部ｈ１の一つに係合している。そのため、前記支持体１に対する前記ターンベース２の旋回が禁止されている。すなわち、キャスタ本体Ｇの動きがロックされた状態に維持されている。この状態では、図７、及び、図９（ｂ）に示すように、ハートカム機構９のフォロアピン９２がハートカム溝ｍｚのロック部ｍ１に位置しており、このカム板９１、及び、このカム板９１を保持する作動子５が図示しないスプリングの付勢力によって外方に移動するのを禁止している。すなわち、前記作動子５は前記ハートカム機構９によりロック位置（Ｉ）に保持されている。このロック位置（Ｉ）においては、この作動子５に取付けられたプッシュボタン８が脚ベースｄ１の窓ｄ１１に概ね没入した状態になっている。
【００５５】
このロック状態から前記プッシュボタン８を内方に押し込む操作を行うと、図７、及び、図１０（ｂ）に示すように、前記ハートカム機構９のフォロアピン９２が、第四段部ｓ４に案内されつつ第一段部ｓ１を通過してリリース部ｍ２の始端ｐ１に相対移動する。なお、この相対移動はカム板９１が作動子５に対して左右方向に移動しつつ行われる。図１０は、フォロアピン９２が、ハートカム溝ｍｚのリリース部ｍ２の始端ｐ１に移動した最押し込み状態を示している。
【００５６】
この最押し込み状態で前記プッシュボタン８に対する押し込み操作を止めると、前記作動子５が前記スプリングの付勢力によりロック位置（Ｉ）から非ロック位置（Ｊ）に移動する。その結果、図１１に示すように、作動子５におけるカム溝７１の浅溝部７２に前記カムフォロア６６が係わり合うことになり前記ロック体６がスプリング６２の付勢力に抗して係合位置（Ｋ）から非係合位置（Ｌ）まで押し下げられる。そのため、図１１（ａ）に示すように前記ロック体６のロールロック爪６３がローラー３の係合凹部３４から外れてこのローラー３の回転が許容されることになる。また、ロック体６のターンロック爪６３が降下して支持体１の係合凹部ｈ１から外れてターンベース２の前記支持体１に対する旋回が許容される。このようにして、図１０に示す最押し込み状態から図１１に示す非ロック状態に移行する際には、前記ハートカム機構９のフォロアピン９２は、図７に示すように、ハートカム溝ｍｚのリリース部ｍ２の始端ｐ１から終端ｐ２に相対移動し、第二段部ｓ２を通過してガイド部ｍ３の始端ｐ３に至ることになる。なお、この相対移動は、カム板９１が作動子５に対して左右方向に移動しつつ行われる。図１０（ｂ）は、前記フォロアピン９２がハートカム溝ｍｚのリリース部ｍ２の始端に位置している最押し込み状態を示しており、図１１（ｂ）は、前記フォロアピン９２がハートカム溝ｍｚのガイド部ｍ３に到達した非ロック状態を示している。
【００５７】
この非ロック状態においては、プッシュボタン８が脚ベースｄ１の使用端から突出した状態となる。
【００５８】
この非ロック状態から前記プッシュボタン８に対して押し込み操作を加えると、前記作動子５が、図示しないスプリングの付勢力に抗して非ロック位置（Ｊ）からロック位置（Ｉ）まで移動することになり、このロック位置（Ｉ）において再びロック状態に戻ることになる。すなわち、図１１に示す非ロック状態（Ｊ）からプッシュボタン８に押し込み操作力が作用するとフォロアピン９２に対してカム板９１が内方に移動し、このフォロアピン９２がハートカム溝ｍｚのガイド部ｍ３の始端ｐ３から終端ｐ４に向かって相対移動し第三段部ｓ３を通過して係止部ｍ４に至ることになる。この状態からプッシュボタン８に対する押し込み操作を止めると前記カム板９１が前記作動子５とともにスプリング力により若干外方に相対移動することになり前記フォロアピン９２がハートカム溝ｍｚの係止部ｍ４から第四段部ｓ４を通過して前記ロック部ｍ１に到達する。
【００５９】
以上説明したように、本実施形態に係るフラップ天板付テーブルＡは、テーブル本体Ｂの脚ベースｄ１に第一、第二のキャスタＥ、Ｆを設けてなるものである。そして、第一のキャスタＥが、前記テーブル本体Ｂに取り付けられた支持体１にターンベース２が水平旋回可能に保持されこのターンベース２の偏心位置にローラー３が枢支されているキャスタ本体Ｇと、このキャスタ本体Ｇの動きをロックするためのロック位置（Ｉ）からそのロックを解除するための非ロック位置（Ｊ）までの間で作動する作動子５を有したロック部Ｈと、このロック部Ｈの作動子５を作動させて前記ロック部Ｈをロック状態又は非ロック状態に切り替えるための操作部Ｍとを備えてなる。そして、操作部Ｍが、略水平な一方向の押圧操作力を受け付けその押圧操作力を利用して前記作動子５を作動させるプッシュボタン８と、このプッシュボタン８に一方向の押圧操作力が加えられる毎に前記作動子５を前記ロック位置又は前記非ロック位置に交互に保持するハートカム機構９とを備えている。このため、操作性に優れたキャスタＥ、及び、当該キャスタＥを有したフラップ天板付テーブルＡを提供することができるものとなる。つまり、略水平な一方向の押圧操作力を受け付けその押圧力操作力を利用して作動子５を作動させるプッシュボタン８を備えているため、使用者から視認しやすく、且つ、違和感の無い自然な操作を実現することができる。例えば、使用者が直接的に視認し得る足先部分を使ってプッシュボタン８を操作するような場合には、プッシュボタン８に対して的確に足先部分をアクセスさせることができるため、使用者が快適にキャスタＥのロック及びロック解除の操作を行うことができるものとなる。
【００６０】
テーブル本体Ｂが、前後方向に延びた脚ベースｄ１を備えたものであり、前記キャスタＥが、前記脚ベースｄ１の使用端側に設けられたものであり、前記プッシュボタン８が、前記脚ベースｄ１の使用端近傍に配されている。このため、使用者がプッシュボタン８に対して好適にアクセスし得るものとなる。
【００６１】
脚ベースｄ１が、使用端に窓ｄ１１を有する下方に開放されたチャンネル状のものであり、前記プッシュボタン８が、前記窓ｄ１１に突没可能に配されたものである。このため、脚ベースｄ１にキャスタＥの取り付けを好適に行えるものとなる。
【００６２】
キャスタ本体Ｇが、天壁１１の下面に円筒体状をなす周壁１２が垂設された支持体１と、この支持体１内に水平旋回可能に収容されたターンベース２と、このターンベース２の旋回軸心から偏位した部位に水平軸ｊ１を介して軸支されたローラー３とを備えたものであり、前記ロック部Ｈが、前記支持体１に保持され前記プッシュボタン８に対する操作に応じて前記ロック位置（Ｉ）と前記非ロック位置（Ｊ）との間で進退動作を行う作動子５と、前記ターンベース２内に昇降可能に保持されたロック体６と、前記作動子５の進退動作を前記ロック体６の昇降動作に変換するカム機構７とを備えてなり、前記作動子５がロック位置（Ｉ）と非ロック位置（Ｊ）との間で進退するのに伴って、前記ロック体６が前記ローラー３の回転及び前記ターンベース２のターン動作を禁止する係合位置（Ｋ）と前記ローラー３の回転及び前記ターンベース２のターン動作を許容する非係合位置（Ｌ）との間で作動し得るように設定されている。このため、キャスタＥにおけるローラー３の回転動作、キャスタＥにおけるターンベース２の支持体１に対する旋回動作を、まとめてロック又はアンロックできる好適な構造を提供することができるものとなる。
【００６３】
カム機構７が、前記作動子５の下面に設けられたカム溝７１と、前記ロック体６に設けられ先端部が前記ターンベース２及び支持体１の前記天壁２１、１１を貫通して前記カム溝７１に係わり合うカムフォロア６６とを備えたものである。このため、ロック体６が支持体１上の作動子５と係わり合う好適な態様を提供することができものとなる。
【００６４】
ロック体６が、上面に前記カムフォロア６６を有した基部６１と、この基部６１に設けられ前記係合位置（Ｋ）において前記ローラー３に設けられた係合凹部３４に係合するロールロック爪６３と、前記基部６１に設けられ前記係合位置（Ｋ）において前記支持体１に設けられた係合凹部ｈ１に係合するターンロック爪６４、６５とを備えたものである。このため、ロック体６によって、ローラー３の回転ロックだけでなくターンベース２の旋回ロックを行うことができる好適な態様を提供することができるものとなる。
【００６５】
前記作動子５が前記支持体１に保持されて水平方向に進退するものであり、前記プッシュボタン８が、前記作動子５の外方端に設けられたものであり、前記作動子５と前記支持体１との間にハートカム機構９が設けられている。このため、プッシュボタン８の操作によって好適に操作力が伝達され、一方向の押し込み操作を繰り返して好適にロックのオン／オフを切り替えることができるものとなる。
【００６６】
テーブル本体Ｂが、前後方向に延びた脚ベースｄ１を備えたものであって、前記作動子５が前記支持体１に保持されて水平方向に進退するものであり、前記脚ベースｄ１の使用端側に前記操作部Ｍを備えた前記キャスタＥが設けられているとともに前記脚ベースｄ１の反使用端側に前記脚ベースｄ１に取り付けられた支持体１’にターンベース２’が水平旋回可能に保持されこのターンベース２’の偏心位置にローラー３’が枢支されているキャスタ本体Ｇ’と、このキャスタ本体Ｇ’の動きをロックするためのロック位置（Ｉ）からそのロックを解除するための非ロック位置（Ｊ）までの間で水平方向に作動する作動子５’を有したロック部Ｈ’を具備してなる反使用端側のキャスタＦが設けられており、この反使用端側のキャスタＦの前記作動子５’と前記使用端側のキャスタＥの作動子５とを連結杆Ｎを介して連動可能に連結している。このため、一方側のプッシュボタン８に対する操作によって第一、第二のキャスタＥ、Ｆを共に操作し得るものとなる。
【００６７】
前記使用端側のキャスタＥの作動子５と、前記反使用端側のキャスタＦの作動子５’とが、一本の連結杆Ｎにより直結されたものである。このため、脚ベースｄ１内に複雑な機構を構築する必要なく、一方側のプッシュボタン８に対する操作によって第一、第二のキャスタＥ、Ｆを共に操作し得るものとなる。
【００６８】
なお、本発明は、以上に詳述した実施形態に限られるものではない。
【００６９】
キャスタ付家具は、種々のものが考えられ、本実施形態に示すようなフラップ天板付家具に限定されるものではない。
【００７０】
作動子は、必ずしも、水平方向にスライド移動するものには限られない。
【００７１】
選択保持機構は、ハートカム機構に限定されたものではなく、一方向の押圧操作力が加えられる毎に前記作動子を前記ロック位置又は前記非ロック位置に交互に保持し得るものであればよい。
【００７２】
その他、各部の具体的構成についても上記実施形態に限られるものではなく、本発明の趣旨を逸脱しない範囲で種々変形が可能である。
【符号の説明】
【００７３】
１…支持体
２…ターンベース
３…ローラー
８…プッシュボタン
Ａ…フラップ天板付テーブル（キャスタ付家具）
Ｂ…テーブル本体（家具本体）
Ｅ…第一のキャスタ
Ｇ…キャスタ本体
Ｈ…ロック部
Ｍ…操作部
【図１】
0006572733.tif 000002
【図２】
0006572733.tif 000003
【図３】
0006572733.tif 000004
【図４】
0006572733.tif 000005
【図５】
0006572733.tif 000006
【図６】
0006572733.tif 000007
【図７】
0006572733.tif 000008
【図８】
0006572733.tif 000009
【図９】
0006572733.tif 000010
【図１０】
0006572733.tif 000011
【図１１】
0006572733.tif 000012